(57)【要約】プリント可能な媒体上にプリントされた画像の位置の補正方法であって、前記画像はコンピュータによって形成され、コンピュータにより制御されたプリンタによってプリント可能な媒体上にプリントされる。コンピュータは、プリント可能な媒体上に画像をプリントするプリント動作を実行し、所望する画像の位置の座標と共にプリントされた実際の画像の位置を定義する座標を取得し、次にプリント動作を実行する際にコンピュータにより形成される画像が正しい位置にプリントされるように、要求される位置と実際の位置との差に応じて画像を補正する。
2004510227.tif 000002
【特許請求の範囲】
【請求項１】
プリント可能な媒体上にプリントされた画像の位置を補正する方法であって、前記画像はコンピュータによって形成され、前記コンピュータにより制御されたプリンタによって前記プリント可能な媒体上にプリントされ、前記コンピュータは、プリント可能な媒体上に画像をプリントするプリント動作を実行し、所望する画像の位置の座標と共にプリントされた実際の画像の位置を定義する座標を取得し、次にプリント動作を実行する際にコンピュータにより形成される画像が正しい位置にプリントされるように、要求される位置と実際の位置との差に応じて、画像を補正することを特徴とする方法。
【請求項２】
請求項１に記載の方法であって、前記コンピュータは、前記媒体および前記画像のリプリゼンテーションを表示し、ユーザによる入力に応じて前記実際の画像の位置の座標を決定することを特徴とする方法。
【請求項３】
請求項１に記載の方法であって、前記コンピュータは、前記媒体および前記画像のリプリゼンテーションを表示し、ユーザによる入力に応じて前記所望する画像の位置の座標を決定することを特徴とする方法。
【請求項４】
請求項２に記載の方法であって、ユーザが前記リプリゼンテーションとプリントされた画像を観察し、前記コンピュータに接続された電子位置決め装置を操作して、読み取った実際の媒体上にプリントされた画像の位置と一致させるように、前記コンピュータに前記リプリゼンテーション上における前記媒体に対する前記画像の位置を変化させることを特徴とする方法。
【請求項５】
請求項４に記載の方法であって、ユーザが前記所望する画像の位置を入力または選択し、前記コンピュータに、前記媒体のリプリゼンテーション上に前記所望する画像の位置を表示させることを特徴とする方法。
【請求項６】
請求項４に記載の方法であって、前記コンピュータは、前記所望する画像の位置および前記プリント可能な媒体のリプリゼンテーションを表示し、ユーザが、前記電子位置決め装置を操作して、読み取った実際の媒体上にプリントされた画像の位置と一致させるように、前記媒体のリプリゼンテーションに対して前記画像の位置のリプリゼンテーションを移動させることを特徴とする方法。
【請求項７】
請求項４に記載の方法であって、前記コンピュータは、前記所望する画像の位置および前記プリント可能な媒体のリプリゼンテーションを表示し、ユーザが、前記電子位置決め装置を操作して、読み取った実際の媒体上にプリントされた画像の位置と一致させるように、前記画像のリプリゼンテーションに対して前記媒体の位置のリプリゼンテーションを移動させることを特徴とする方法。
【請求項８】
請求項３に記載の方法であって、前記コンピュータは、プリントされた媒体をスキャンし、実際にプリントされた位置を表示するために、前記リプリゼンテーション中に前記プリントされた媒体を表示することを特徴とする方法。
【請求項９】
請求項８に記載の方法であって、前記コンピュータは、ユーザによる入力に応じて、実際の画像の位置の座標を決定し、ユーザが、前記コンピュータに接続された電子位置決め装置を操作して、前記コンピュータに実際の画像の座標を決定させるために、前記リプリゼンテーション上の画像を指定することを特徴とする方法。
【請求項１０】
請求項９に記載の方法であって、前記コンピュータに前記所望する画像の位置の座標を決定させるために、ユーザが電子位置決め装置を操作して、前記リプリゼンテーション上の所望する画像の位置を特定することを特徴とする方法。
【請求項１１】
プリント可能な媒体上にプリントされた画像の位置を補正するためにコンピュータにより使用されるコンピュータプログラムであって、前記画像はコンピュータによって形成され、前記コンピュータにより制御されたプリンタによって前記プリント可能な媒体上にプリントされ、前記プログラムは、前記コンピュータに、プリント可能な媒体上に画像をプリントするプリント動作を実行させ、前記コンピュータは、所望する画像の位置の座標と共にプリントされた実際の画像の位置を定義する座標を取得し、次にプリント動作を実行する際にコンピュータにより形成される画像が正しい位置にプリントされるように、要求される位置と実際の位置との差に応じて、画像を補正することを特徴とするコンピュータプログラム。
【請求項１２】
請求項１１に記載のコンピュータプログラムであって、前記コンピュータにおける他のソフトウエアに組み込まれるプラグインプログラムとして存在することを特徴とするコンピュータプログラム。
【請求項１３】
プリント可能な媒体上にプリントされた画像の位置を補正するためにコンピュータにより使用されるデータキャリア上に保存されたコンピュータプログラムであって、前記画像はコンピュータによって形成され、前記コンピュータにより制御されたプリンタによって前記プリント可能な媒体上にプリントされ、前記プログラムは、前記コンピュータに、プリント可能な媒体上に画像をプリントするプリント動作を実行させ、前記コンピュータは、所望する画像の位置の座標と共にプリントされた実際の画像の位置を定義する座標を取得し、次にプリント動作を実行する際にコンピュータにより形成される画像が正しい位置にプリントされるように、要求される位置と実際の位置との差に応じて、画像を補正することを特徴とするコンピュータプログラム。
【請求項１４】
コンピュータおよびプリンタを備えたコンピュータシステムであって、前記コンピュータは、プリント可能な媒体上のプリントの位置を補正するために、請求項１１に記載のコンピュータプログラムがプログラムされており、前記プリントは、前記コンピュータにより制御された前記プリンタによって、前記プリント可能な媒体上にプリントされることを特徴とするコンピュータシステム。
【発明の詳細な説明】
【０００１】
本発明は、コンピュータ制御されたプリンタによりプリントされたプリント位置を補正するための方法に関する。本発明は、また、この方法を実行するためのコンピュータプログラム、および、このプログラムを実行するコンピュータおよびプリンタを備えたシステムに関する。
【０００２】
プリント可能な媒体にプリントするために、コンピュータ制御されたプリンタを用いた自動プリント処理は、今日では当たり前になっている。インクジェット、レーザ、ドットマトリックス、インパクトマトリックス、熱転写およびデイジーホイールを含む様々な異なったタイプのプリンタが知られている。プリント可能な媒体としては、用紙、カード、布、単数または複数のラベル等である。ラベルの場合、裏紙の上に複数の粘着性ラベルが貼り付けられているのが一般的であり、プリンタを通って供給される。プリントされるのは、アルファベットや数字、文字列、画像、バーコードまたは写真等である。
【０００３】
上記各媒体は、既に広範囲のサイズにわたって活用されている。大きいサイズの媒体の中には、例えば広告用のポスターや転写紙等が含まれる。小さいサイズの媒体は、包装材やラベルのプリントに用いられる。微小なラベルは、電子部品や配線器具にラベルを付けるために用いられる。これら全ての場合、特にラベルの印刷の場合、プリント可能媒体上の正確な位置にプリントされることが非常に重要である。正しくない位置にされたプリントは、手抜きに見える上に、プロフェッショナルの仕事には見えない。そして、極端な場合、意図した領域に所望するプリントがされないという結果を招く可能性がある。また、文字列および／または写真の寸詰まりの原因となるため、プリントジョブのやり直しを必要とし、コストおよび時間を浪費するであろう。
【０００４】
医薬品の容器に使用説明書をプリントするようなジョブの場合、もしも所望するラベル領域にプリントされなければ、その結果は非常に深刻である。その場合、患者は、使用説明書の一部しか入手することができず、不適切な治療処置を受けることになる。
【０００５】
電子部品に用いられるような非常に小さいラベルの場合、文字列を正確に配置されなければならないとすると、ラベルを正確に配列しなければならない。もし、ラベルが正確に配置されていなければ、エラーを修正するためにプリンタまたはコンピュータソフトウエアを調整しなければならず、非常に不恰好である。伝統的に、このような微調整は、ユーザによって、何もプリントされていない用紙上にプリントを行い、実際のラベルシートに対して反映される。そして、ユーザは、何らかの方法で、さまざまな情報ブロックがどの位ずれているのかを測定し（通常は、左上、右上および左下）、これらの測定結果をコンピュータソフトウエアに入力し、トップマージン、レフトマージン、水平ピッチおよび垂直ピッチ等の設定を適正に調節する。または、ユーザが直接ラベルシート（または、ラベルの外形線がマークされたシート）上にプリントしてもよい。その場合、所望する位置からのプリントのずれを手作業で測定する。この情報は、ソフトウエアに入力され、必要な調整が行われる。
【０００６】
上記方法は、大部分をトライアンドエラーに頼っている。プリントのずれの測定は手作業で行わなければならず、遅くて間違いやすい。また、許容できる位置にプリントされるまでに多数のテストプリントを行わなければならない。
【０００７】
本発明の目的は、上記問題点の一つまたは全てを解決するか、または、少なくとも緩和することにある。
【０００８】
本発明によれば、プリント可能な媒体上にプリントされた画像の位置の補正方法が提供され、前記画像はコンピュータによって形成され、コンピュータにより制御されたプリンタによってプリント可能な媒体上にプリントされる。コンピュータは、プリント可能な媒体上に画像をプリントするために、プリント動作を実行し、画像の所望する位置の座標と共にプリントされた画像の実際の位置を定義する座標を取得し、次のプリント動作を実行する際にコンピュータにより形成される画像が補正された位置にプリントされるように、要求される位置と実際の位置との差に応じて画像を補正する。
【０００９】
コンピュータは、媒体および画像のリプリゼンテーション（スクリーン画面上に表示された図形または像：ｒｅｐｒｅｓｅｎｔａｔｉｏｎ）を表示し、ユーザからの入力に応じて実際の画像の位置の座標を決定することが好ましい。
【００１０】
また、コンピュータは、媒体および画像のリプリゼンテーションを表示し、ユーザからの入力に応じて所望する画像の位置の座標を決定することが好ましい。
【００１１】
好ましい具体例によれば、ユーザが、リプリゼンテーションとプリントされた画像を観察し、コンピュータに接続された電子的位置決め装置（例えばマウスやトラックボール等）を操作して、例えば、読み取られた実際の媒体上にプリントされた画像の位置に一致させるように、コンピュータにリプリゼンテーション上の媒体に対する画像の位置を変化させる。また、ユーザが、所望する画像の位置を入力または選択し、コンピュータに、媒体のリプリゼンテーション上に所望する画像の位置を表示させることが好ましい。
【００１２】
コンピュータは、所望する画像の位置およびプリント可能な媒体のリプリゼンテーションを表示し、ユーザが、電子位置決め装置を使用して、例えば、読み取られた実際の媒体上にプリントされた画像の位置に一致させるように、媒体のリプリゼンテーションに対する画像の位置のリプリゼンテーションを移動させることが特に好ましい。または、コンピュータは、画像の所望する位置およびプリント可能な媒体のリプリゼンテーションを表示し、ユーザが電子位置決め装置を使用して、例えば、読み取られた実際の媒体上にプリントされた画像の位置に一致させるように、画像のリプリゼンテーションに対する媒体の位置のリプリゼンテーションを移動させる。
【００１３】
この方法は、公知のトライアンドエラー方法に比べて、ずっと速く、より簡単で、より直感的であるという利点を有する。この方法は、プリンタドライバ自体、または、ワードプロセッサプログラムやデスクトップパブリッシングパッケージ等のアプリケーションソフトウエア等のコンピュータソフトウエアに容易に組み込むことができる。
【００１４】
ユーザが、通常はスクリーン上に表示されているリプリゼンテーションを観察し、すぐ近くに保持された実際にプリントされた媒体と比較する代わりに、例えばコンピュータに接続された平面ベッド型スキャナを用いてプリントされた媒体をスキャンしてもよい。この別の具体例によれば、コンピュータはプリントされた媒体をスキャンし、実際にプリントされた位置を示すために、それを前記リプリゼンテーション上に表示する。ユーザは、コンピュータに実際の画像の座標を決定させるために、コンピュータに接続されている電子位置決め装置を操作して、リプリゼンテーション上で画像を特定（例えば、ポイントおよびクリック）してもよい。ユーザは、コンピュータに所望する画像の位置の座標を決定させるために、電子位置決め装置を操作して、リプリゼンテーション上で所望する画像の位置を指定してもよい。
【００１５】
本発明は、また、プリント可能な媒体上にプリントされた画像の位置を補正するために、コンピュータで使用されるコンピュータプログラムを提供する。前記画像は、コンピュータにより形成され、そのコンピュータにより制御されたプリンタによって媒体上にプリントされる。そのプログラムは、コンピュータに、プリント可能な媒体上に画像をプリントするためにプリント動作を実行させ、コンピュータは、画像の所望する位置の座標と共にプリントされた画像の実際の位置を定義する座標を取得し、次のプリント動作を実行する際にコンピュータにより形成される画像が補正された位置にプリントされるように、要求される位置と実際の位置との差に応じて画像を補正する。
【００１６】
このコンピュータプログラムは、他のソフトウエアに組み込むために、プラグインプログラムとして存在していることが有利である。
【００１７】
本発明は、また、プリント可能な媒体上にプリントされた画像の位置を補正するために、コンピュータで使用されるデータキャリア上に保存されたコンピュータプログラムを提供する。前記画像は、コンピュータにより形成され、そのコンピュータにより制御されたプリンタによって媒体上にプリントされる。そのプログラムは、コンピュータに、プリント可能な媒体上に画像をプリントするためにプリント動作を実行させ、コンピュータは、プリントされた画像の実際の位置を定義する座標を、画像の所望する位置の座標と共に取得し、次のプリント動作を実行する際にコンピュータにより形成される画像が補正された位置にプリントされるように、要求される位置と実際の位置との差に応じて画像を補正する。
【００１８】
本発明によれば、コンピュータおよびプリンタを備えたコンピュータシステムが提供される。そのコンピュータは、プリント可能な媒体上にプリントされた画像の位置を補正するための上記コンピュータプログラムがプログラムされており、前記画像は、コンピュータにより形成され、そのコンピュータにより制御されたプリンタによって媒体上にプリントされる。
【００１９】
本発明の実施の形態について添付の図面を参照しつつ説明する。この実施の形態は、本発明を実施するうえで、現時点で出願人により知られている最良の方法を表している。しかし、本発明はこれらの実施の形態によってのみ達成されるものではない。これらの実施の形態は、例示のみを目的として描かれ、記載されている。
【００２０】
本発明の応用例を説明するために、図１は、裏面に接着剤が塗布された８枚のラベル１２が配列された、ワックスが塗布された用紙１０を示す。この例では、文字列１４を各ラベルにプリントしようとしている。なお、本発明は様々な種類の文字やイメージのプリントに応用でき、プリントされる媒体も用紙やラベルに限られない。この例での文字列は、非常に重要な警告であり、このラベルは特定種類の医薬品の瓶に貼付される。
【００２１】
図２は、不正確にプリントされた用紙２０およびラベル２２を示す。文字列２４は、ラベルに対して正しく位置合わせされていない。その結果、図３に示すように、ラベル３０を裏紙から剥がすと、文字列３２は意図した通りには存在していない。実際、説明に用いた例では、ラベルの意味が完全に変わってしまっている。不注意な薬剤師は、そのようなラベルを瓶に貼るかもしれない。その結果、この医薬品を誤って服用することにより、患者は悲惨な結果となる危険にさらされる。
【００２２】
本発明により提供されるコンピュータソフトウエアは、プリントの不正確な位置を、素早く、簡単に、そして直接的に補正することを可能にする。
【００２３】
このソフトウエアを用いることにより、ユーザには、コンピュータ画面上にラベル４０のリプリゼンテーションが提供される（図４）。ソフトウエアは、ユーザに、ラベル上で文字列が現れる所望の位置を知らせるように要求する。これは、ラベル４０のリプリゼンテーション上に文字列位置４２の図式的なリプリゼンテーションを位置決めすることにより行われる。（「文字列位置」という表現を用いているけれども、文字列位置はプリント可能な画像の全ての種類の位置と同じ意味であることに留意すべきである。）ソフトウエアは、１枚のラベルまたは複数のラベルを貼り付けたシートの座標系において、この情報を座標の形で記録する。本発明の非常に簡単な実施の形態では、記録された座標は、文字列によって占められるスペースの左上の隅に対応する。図４において、これらの座標は、座標系の原点Ｏに対して簡単にＡで示されている。この座標系の原点は、ラベルのリプリゼンテーションに対して相対的に定義され、静止したままである。
【００２４】
本発明のさらに進んだ実施の形態では、例えば、文字列によって占められるスペースの右上、左下および右下の隅等の追加の座標が要求され記録される。これらの座標の適切な組み合わせは、現在進行中の特定のジョブに適するように、ラベルまたはプリントの専門家によって決定される。
【００２５】
次に、裏書の上に貼付された１または２以上のラベルを用いるか、１または２以上のラベルの外形線が予めプリントされている紙片を用いて、テストページがプリントされる。プリントされたテスト文字列または画像は、このシステムが用いられる実際のプリントジョブの内容と異なっていてもよい。例えば、複数のラベルが貼付されたシート用に、各ラベルに対応する位置に異なったアルファベットや数字の列をプリントしてもよい。
【００２６】
テスト文字列がプリントされたものの上の所望の位置に現れたとすると、ユーザはそれ以上ソフトウエアに対して行動する必要はない。しかしながら、もしも所望する位置と実際の文字列の位置にずれがあるときは、ユーザはスクリーン上に不正確にプリントされたラベルの外観を複写するように要求される。本発明の特定の好ましい実施の形態によれば、ユーザは、実際にプリントされたテストページを観察しながら、また、コンピュータスクリーンを観察しながら、単にコンピュータのマウス（またはトラックボールのような等価な位置決め装置）を用いて、画面上で静止したラベル５０のリプリゼンテーションに対して、文字列位置のリプリゼンテーションを図４の位置４２から位置５２（図５）までドラッグするだけでよい。文字列位置のリプリゼンテーションがドラッグされる位置は、ユーザが知覚するように、ラベルに対してテスト文字列がプリントされた実際の位置に対応する。図５において、図４のものと同じ座標系が用いられており、実際の文字列位置の左上の隅の座標をＢで示す。
【００２７】
または、ユーザはスクリーン上のラベル４０のリプリゼンテーションをドラッグし、画面上で静止した文字列位置４２のリプリゼンテーションに対してそれの位置決めを行ってもよい。それにより、結果として生じる文字列５２とラベル５０のリプリゼンテーションの相対的な位置決めは図５に示すものと同じになり、ユーザが知覚するように、ラベルに対してテスト文字列がプリントされた実際の位置に対応する。この場合、ラベルのリプリゼンテーションではなくて文字列位置のリプリゼンテーションの方が静止しているので、プログラムによって使用された座標系の原点は、文字列位置のリプリゼンテーションに関して定義される。
【００２８】
ユーザにより上記２つの方法のいずれが選択されても、最終的に、実際のプリント位置と所望するプリント位置のずれを表した情報がユーザによってコンピュータに提供される。この情報が与えられると、コンピュータは、実際にプリントされた画像の位置を定義する座標が適用されたときに、所望するプリント位置をもたらすマッピング機能を演算する。この具体例の場合、Ｂで示された座標にマッピング機能を適用すると、座標Ａが得られる。この具体例では、このマッピング機能は簡単な平行移動ベクトルであるが、回転および／または拡大／縮小、あるいは、平行移動、回転および拡大／縮小のいずれかの組み合わせを示す機能であってもよい。この具体例では、図６においてγにより示されたベクトルは、
γ＝Ａ−Ｂ
のベクトル表示により定義される。
【００２９】
それ以後の全てのプリントにおいて、ソフトウエアはプリント座標に対してマッピング機能を適用する。この具体例では、マッピング機能は平行移動ベクトルγを付加することを意味する。それゆえ、それ以後のプリントが各ラベルに対して正確に位置決めされるように、プリント位置が調整される。
【００３０】
この方法は画像に平行移動ベクトルを導入することにより、プリントされた画像と媒体の不整合（ｍｉｓ−ｒｅｇｉｓｔｅｒ）を簡単に修正するので、重宝されるであろう。不整合を含むその他の不正確なプリントは、画像の回転、あるいは、画像の拡大または縮小を含むであろう。１組以上の座標を用いることによって、本発明を用いてこれらのエラーを補正することができる。例えば、文字列画像領域の互いに反対の隅を用いることができる。これらの隅の実際の位置と所望する位置の座標は、同様の方法により、コンピュータによって得られ、処理されることができる。プリントする文字列の画像を形成するコンピュータは、それに対して与えられる座標に応じてエラーを補正する。
【００３１】
また、プログラムは、ユーザがスクリーン上の文字列位置およびラベルのリプリゼンテーションを移動させるように、適当な数値パラメータ（トップマージン、レフトマージン、水平ピッチおよび垂直ピッチの補正された数値を含んでいてもよい）を、スクリーン上のテーブル、一般的にはマイクロソフトウインドウズ（登録商標）において重畳されたウインドウに同時にアップデートするように構成されている。しかしながら、スクリーン上のリプリゼンテーションをドラッグし、これらのパラメータの変更を観察する代わりに、ユーザは、コンピュータのキーボードを用いてこのテーブルに直接数値を入力してもよいし、あるいは、アップ／ダウンカーソルキーのような入力手段を用いるか、またはマウスを用いてアップ／ダウンアイコンをクリックすることにより、数値を手動で調節してもよい。ユーザは、スクリーン上のリプリゼンテーションがテストプリントと一致するまで、手動による数値の調整を続けることができる。または、マウスを用いてスクリーン上のリプリゼンテーションを直接ドラッグする方法に戻ってもよい。
【００３２】
あまりユーザの知覚に頼らなくてもよいけれども、他の周辺機器を必要とする本発明の別の実施の形態では、コンピュータにプリントされた媒体を読み込むためのスキャナが用いられる。一例として、ディジタルスキャナは不正確にプリントされたラベルの画像をスキャンする。ラベル、すなわちプリントされた媒体は、ユーザのスクリーン上に表示される。（もちろん、最低限ではあるけれども、スキャナによって取り込まれたいずれかのエラーを前提として）ソフトウエア自体が、画像の境界、および、そこから画像の実際の位置の必要な座標を認識することができる。または、ユーザは、マウスを用いてポイントおよびクリックすることにより、画像の位置を特定する。そして、ソフトウエアは、スクリーン上で、ラベルに対する文字列の位置を描くために用いられる。ユーザは、スクリーン上にリプリゼンテーションされている周囲の媒体に対して、文字列の画像を所望する位置までドラッグしてもよい。または、ユーザは、プログラムによりスクリーン上に提示された複数の位置の中から所望する位置を選択してもよい。その後、プログラムは、実際の位置と所望する位置についての情報を処理し、プリントされるべき画像を形成するプログラム中において位置ずれを補正する。それにより、その後のプリントにおいて、不整合エラーは補正される。
【００３３】
複数のラベルの配列を備えたシートについては、文字列位置全体としてそれぞれのラベルについて補正が及んでいることが評価される。そのようなシートをプリントするときに、ソフトウエアは、必然的に、テストページをプリントする際、テスト文字列がシート上の各ラベルの位置にプリントされるように構成されている。ユーザに、スクリーン上で文字列領域全体を１つの存在としてテストプリントに一致させるように調節することを要求するよりも、むしろソフトウエアはより直感的な代替物を提供する。ユーザは、単に個々のラベルを選択し、各ラベルについて、スクリーン上のラベルのリプリゼンテーションがテストシート上にプリントされた対応する実際のラベルの外観に一致するまで、前に述べたテクニックを用いて、スクリーン上のリプリゼンテーションを調節する。一般的に、ユーザは、このテクニックを、シートの右下の隅のラベルまたはその他のラベルにも同様に適用できるけれども、シートの左上、右上および左下の隅のラベルに適用するであろう。そして、コンピュータは、ユーザによって提供されたこのローカルな情報を、次のプリントジョブにおけるシート全体に適用される適切なマッピング機能を決定するために用いる。
【００３４】
ソフトウエアは、特定のラベルテンプレートに対応し、将来の使用のためにセーブされる修正可能なマッピング機能を許容する。しかしながら、プログラムは、テストページに続いて直ちに実行される１つまたは複数のプリントジョブに補正を適用するためのオプションを認める。補正はコンピュータのＲＡＭ中に保存されるけれども、ディスクには収納されない。
【００３５】
上記ソフトウエアは、他のソフトウエアに組み込むために、プラグインとして作成することができる。または、ソフトウエアは、単独のプログラムとして存在することができ、また、プリンタドライバまたはワードプロセッサあるいはデスクトップパブリッシングパッケージのようなアプリケーションソフトウエアに組み込んでもよい。
【００３６】
本発明は、上記よりもさらに複雑なプリントに適用することができる。例えば、より高機能のラベルプリントへの応用が、われわれの現在継続中の特許出願ＷＯ００／４８０９１号に記載されている。この中で、テンプレートは、１枚のシート上の異なったサイズおよび形状の多数のラベルに対して作成される。本発明は、例えば位置決め装置を用いてスクリーン上でテンプレートの画像を移動させることにより、ユーザがページに対してテンプレート全体をシフトさせることを許容する。また、ユーザは、１つまたはいくつかのラベルを選択し、個別に補正することを希望することができる。１つまたはいくつかのラベルにおいて、ラベルテンプレートに対するプリントされた画像の位置を補正してもよい。但し、違っている数だけである。さらに、テンプレートの連続するラベルの間のピッチは、水平方向および垂直方向の両方とも、ユーザによって調節可能である。この調節は、ユーザが、例えば２つまたは３つの隅等のテンプレートの意図された位置の適当な隅において、スクリーン上のシートの画像上の位置を指定してクリックすることによって行うことができる。そして、ソフトウエアは、要求された境界にテンプレートを適応させるために、ピッチを調整する。
【図面の簡単な説明】
【図１】正確にプリントされたラベルのシートの一例を示す図である。
【図２】不正確にプリントされたラベルのシートの一例を示す図である。
【図３】図２のシートから剥がされた不正確にプリントされたラベルを示す図である。
【図４】所望するプリント位置を示すスクリーン上のラベルのリプリゼンテーションを示す図である。
【図５】プリントされ、かつ、所望する位置にプリントされなかったスクリーン上のラベルのリプリゼンテーションを示す図である。
【図６】本発明の一実施の形態のコンピュータソフトウエアによって使用される幾何学的ベクトルを示す図である。
【国際公開パンフレット】
2004510227.tif 000003
2004510227.tif 000004
2004510227.tif 000005
2004510227.tif 000006
2004510227.tif 000007
2004510227.tif 000008
2004510227.tif 000009
2004510227.tif 000010
2004510227.tif 000011
2004510227.tif 000012
2004510227.tif 000013
2004510227.tif 000014
2004510227.tif 000015
2004510227.tif 000016
2004510227.tif 000017
2004510227.tif 000018
2004510227.tif 000019
2004510227.tif 000020
2004510227.tif 000021
2004510227.tif 000022
【国際公開パンフレット（コレクトバージョン）】
2004510227.tif 000023
2004510227.tif 000024
【手続補正書】
【提出日】平成14年8月6日(2002.8.6)
【手続補正１】
【補正対象書類名】明細書
【補正対象項目名】特許請求の範囲
【補正方法】変更
【補正の内容】
【特許請求の範囲】
【請求項１】
プリント可能な媒体上にプリントされた画像の位置を補正する方法であって、前記画像はコンピュータによって形成され、前記コンピュータにより制御されたプリンタによって前記プリント可能な媒体上にプリントされ、前記コンピュータは、プリント可能な媒体上に画像をプリントするプリント動作を実行し、前記媒体および前記画像のリプリゼンテーションを表示し、ユーザにより入力に応じて実際の前記画像の位置の座標を決定し、所望する画像の位置を定義する座標を取得し、次にプリント動作を実行する際にコンピュータにより形成される画像が正しい位置にプリントされるように、要求される位置と実際の位置との差に応じて、画像を補正することを特徴とする方法。
【請求項２】
請求項１に記載の方法であって、ユーザが前記リプリゼンテーションとプリントされた画像を観察し、前記コンピュータに接続された電子位置決め装置を操作して、読み取った実際の媒体上にプリントされた画像の位置と一致させるように、前記コンピュータに前記リプリゼンテーション上における前記媒体に対する前記画像の位置を変化させることを特徴とする方法。
【請求項３】
請求項２に記載の方法であって、ユーザが前記所望する画像の位置を入力または選択し、前記コンピュータに、前記媒体のリプリゼンテーション上に前記所望する画像の位置を表示させることを特徴とする方法。
【請求項４】
請求項２に記載の方法であって、前記コンピュータは、前記所望する画像の位置および前記プリント可能な媒体のリプリゼンテーションを表示し、ユーザが、前記電子位置決め装置を操作して、読み取った実際の媒体上にプリントされた画像の位置と一致させるように、前記媒体のリプリゼンテーションに対して前記画像の位置のリプリゼンテーションを移動させることを特徴とする方法。
【請求項５】
請求項２に記載の方法であって、前記コンピュータは、前記所望する画像の位置および前記プリント可能な媒体のリプリゼンテーションを表示し、ユーザが、前記電子位置決め装置を操作して、読み取った実際の媒体上にプリントされた画像の位置と一致させるように、前記画像のリプリゼンテーションに対して前記媒体の位置のリプリゼンテーションを移動させることを特徴とする方法。
【請求項６】
請求項１に記載の方法であって、前記コンピュータは、プリントされた媒体をスキャンし、実際にプリントされた位置を表示するために、前記リプリゼンテーション中に前記プリントされた媒体を表示し、ユーザによる入力に応じて前記所望する画像の位置の座標を決定することを特徴とする方法。
【請求項７】
請求項６に記載の方法であって、ユーザが、前記コンピュータに接続された電子位置決め装置を操作して、前記コンピュータに実際の画像の座標を決定させるために、前記リプリゼンテーション上の画像を特定することを特徴とする方法。
【請求項８】
請求項７に記載の方法であって、前記コンピュータに前記所望する画像の位置の座標を決定させるために、ユーザが電子位置決め装置を操作して、前記リプリゼンテーション上の所望する画像の位置を指定することを特徴とする方法。
【請求項９】
プリント可能な媒体上にプリントされた画像の位置を補正するためにコンピュータにより使用されるコンピュータプログラムであって、前記画像はコンピュータによって形成され、前記コンピュータにより制御されたプリンタによって前記プリント可能な媒体上にプリントされ、前記プログラムは、前記コンピュータに、プリント可能な媒体上に画像をプリントするプリント動作を実行させ、前記コンピュータは、前記媒体および前記画像のリプリゼンテーションを表示し、ユーザにより入力に応じて実際の前記画像の位置の座標を決定し、所望する画像の位置を定義する座標を取得し、次にプリント動作を実行する際にコンピュータにより形成される画像が正しい位置にプリントされるように、要求される位置と実際の位置との差に応じて、画像を補正することを特徴とするコンピュータプログラム。
【請求項１０】
請求項９に記載のコンピュータプログラムであって、前記コンピュータにおける他のソフトウエアに組み込まれるプラグインプログラムとして存在することを特徴とするコンピュータプログラム。
【請求項１１】
プリント可能な媒体上にプリントされた画像の位置を補正するためにコンピュータにより使用されるデータキャリア上に保存されたコンピュータプログラムであって、前記画像はコンピュータによって形成され、前記コンピュータにより制御されたプリンタによって前記プリント可能な媒体上にプリントされ、前記プログラムは、前記コンピュータに、プリント可能な媒体上に画像をプリントするプリント動作を実行させ、前記コンピュータは、前記媒体および前記画像のリプリゼンテーションを表示し、ユーザにより入力に応じて実際の前記画像の位置の座標を決定し、所望する画像の位置を定義する座標を取得し、次にプリント動作を実行する際にコンピュータにより形成される画像が正しい位置にプリントされるように、要求される位置と実際の位置との差に応じて、画像を補正することを特徴とするコンピュータプログラム。
【請求項１２】
コンピュータおよびプリンタを備えたコンピュータシステムであって、前記コンピュータは、プリント可能な媒体上のプリントの位置を補正するために、請求項９に記載のコンピュータプログラムがプログラムされており、前記プリントは、前記コンピュータにより制御された前記プリンタによって、前記プリント可能な媒体上にプリントされることを特徴とするコンピュータシステム。
【国際調査報告】
2004510227.tif 000025
2004510227.tif 000026